(57)【要約】【課題】香料容器２が小型で簡単に筆記具に装着できるとともに、何ら操作を行うことなくアロマ効果が長時間持続でき、しかも、香料が含浸していない香料容器２と滴下具３がケース１内に収納され筆記具に付属されているので、自分の好みに合わせた香料が簡単に含浸できる。更に、香料を補充することにより繰り返しアロマ効果が得られる筆記具、筆記具用の香料用具キット及び筆記具用香料の補充方法を提供する。【解決手段】筆記具に収納室を設けるとともに、この収納室に着脱可能に装着するための香料容器２と、香料を香料容器２に注入するための滴下具３をセットにした香料用具キットを筆記具に付属する。香料容器２は、本体２Ａ内に香料が含浸していないフェルト部材２Ｂを内蔵して構成する。滴下具３はパイプにより構成する。この香料容器２と滴下具３を断面円形のケース１内に収納し、ケース１に蓋４を被せて香料用具キットを構成する。【選択図】        図１
2007007886.tif 000002
【特許請求の範囲】
【請求項１】
筆記具に収納室を設けるとともに、この収納室に着脱可能に装着するための香料容器と、香料を香料容器に注入するための滴下具をセットにした香料用具キットを筆記具に付属し、本体内にフェルト部材を内蔵して香料容器を構成したことを特徴とする筆記具。
【請求項２】
筆記具の収納室に着脱可能に装着するための香料容器と、香料を香料容器に注入するための滴下具をセットにし、前記香料容器を本体内にフェルト部材を内蔵して構成したことを特徴とする筆記具用の香料用具キット。
【請求項３】
フェルト部材に香料が含浸していない香料容器と、滴下具を断面円形のケース内に収納し、このケースに蓋を被せて香料用具キットを構成したことを特徴とする請求項１又は２記載の香料用具キット。
【請求項４】
液状の香料が入ったビンの中にパイプ状の滴下具を挿入し、この滴下具の上端を指で閉じて滴下具内に入った香料を香料容器に移動させ、滴下具の上端を開くことにより香料を香料容器のフェルト部材に含浸し、この香料容器を筆記具の収納室に装着することを特徴とする筆記具用香料の補充方法。
【発明の詳細な説明】
【技術分野】
【０００１】
本発明は、香料容器を着脱可能に装着する筆記具と、香料容器と滴下具からなる筆記具用の香料用具キット及び筆記具用香料の補充方法に関するものである。
【背景技術】
【０００２】
従来の芳香筆記具は、筆記具部と、芳香スプレー部とからなり、芳香スプレー部を筆記具から取り外して噴霧するものであった。また、芳香筆記具と、芳香オイル入り容器と、芳香オイル注入器具とを化粧箱に封入した芳香筆記具セットが知られている。（特許文献１参照）
【特許文献１】登録実用新案第３０９８９９２号公報
【発明の開示】
【発明が解決しようとする課題】
【０００３】
しかし、上記した芳香筆記具は、芳香スプレー部が大型となり、筆記具の機能が大幅に制限されてしまうものであった。また、芳香スプレー部を取り外して噴霧した時のみアロマ効果が得られるものであり、アロマ効果が長時間持続できないものである。したがって、長時間の筆記中にアロマ効果を継続的に得るためには、定期的に筆記を中断して芳香スプレー部を筆記具から取り外して噴霧しなければならず、非常に煩わしい操作を行わなければならなかった。
本発明は、上記課題を解消する筆記具、香料用具キット及び筆記具用香料の補充方法を提供することを目的とするものである。
【課題を解決するための手段】
【０００４】
本発明は、筆記具に収納室を設けるとともに、この収納室に着脱可能に装着するための香料容器と、香料を香料容器に注入するための滴下具をセットにした香料用具キットを筆記具に付属し、本体内にフェルト部材を内蔵して香料容器を構成したことを第１の要旨とする。
【０００５】
また、筆記具の収納室に着脱可能に装着するための香料容器と、香料を香料容器に注入するための滴下具をセットにし、前記香料容器を本体内にフェルト部材を内蔵して構成したことを第２の要旨とする。
【０００６】
更に、フェルト部材に香料が含浸していない香料容器と、滴下具を断面円形のケース内に収納し、このケースに蓋を被せて香料用具キットを構成したことを第３の要旨とする。
【０００７】
更にまた、液状の香料が入ったビンの中にパイプ状の滴下具を挿入し、この滴下具の上端を指で閉じて滴下具内に入った香料を香料容器に移動させ、滴下具の上端を開くことにより香料を香料容器のフェルト部材に含浸し、この香料容器を筆記具の収納室に装着することを第４の要旨とする。
【発明の効果】
【０００８】
本発明の筆記具、筆記具用の香料用具キット及び筆記具用香料の補充方法は、香料容器が小型で簡単に筆記具に装着できるとともに、何ら操作を行うことなくアロマ効果が長時間持続できる。しかも、香料が含浸していない香料容器と滴下具がケース内に収納されて筆記具に付属されセットとなっているので、自分の好みに合わせた香料が簡単に含浸でき、更に香料を補充することにより繰り返しアロマ効果が得られる利点がある。
【発明を実施するための最良の形態】
【０００９】
大型にならず、かつ簡単な操作でアロマ効果が長時間持続できるとともに、自分の好みの香料が簡単に含浸できる筆記具を実現した。
【実施例１】
【００１０】
以下、図１、図２及び図３に基づいて本発明における実施例１の筆記具用の香料用具キットを説明する。断面円形のケース１内に香料容器２と滴下具３を収納し、蓋４を被せて構成する。この香料容器２は図２に示したように、有底状の筒体からなる本体２Ａをポリエチレンからなる合成樹脂で構成し、この本体２Ａ内にフェルト部材２Ｂが内蔵されている。この状態ではフェルト部材２Ｂには香料は含浸されていない。滴下具３は図３に示したように、ポリプロピレンからなる合成樹脂製のパイプにより構成する。
【００１１】
したがって、香料容器２と滴下具３がケース１内に収納されているので、必要な時にいつでも取り出して使用することができる。
【実施例２】
【００１２】
図４に基づいて前記香料用具キットを筆記具に付属した実施例２を説明する。筆記具としてはシャープペンシルで説明する。重り５の慣性力により芯タンク６及びチャック７を前進させて芯８を繰り出したり、押部材９を押すことにより芯タンク６及びチャック７を前進させて芯８を繰り出すシャープペンシルの軸筒１０の後部に、着脱可能に後軸１１を螺合する。この後軸１１には押部材９が摺動可能に内蔵され、後軸１１の内面に固着された駒１２と押部材９の間にスプリング１３を張架する。軸筒１０内にはチャック７が内蔵され、チャック７の後部に外鍔１４Ａを有するコネクター１４が連結される。このコネクター１４に芯タンク６が連結される。また、コネクター１４の外鍔１４Ａと押部材９の前面との間に重り５が遊嵌され、この重り５は円筒状で内孔に芯タンク６が挿通される。芯タンク６の後部は押部材９の前部孔９Ａ内に挿入されるが、芯タンク６の後端と押部材９の内鍔９Ｂとは適宜離間している。この押部材９の内鍔９Ｂには芯８が通過可能な貫通孔９Ｃが形成される。
【００１３】
この押部材９の内鍔９Ｂより後方に前記香料容器２を着脱可能に装着できる収納室９Ｄを形成する。この収納室９Ｄに長手方向に伸びた複数の突部を周方向に等間隔に形成する。更に、押部材９の後端部には収納室より太径の消しゴム保持部９Ｅを形成する。この押部材９の収納室９Ｄには、通常香料収納容器１５が挿入され、香料収納容器１５を複数の突部により着脱可能に保持している。また、後軸１１の後端より押部材９が適宜突出するとともに、押部材９の後端より香料収納容器１５が適宜突出する。更に、押部材９の後部外側に香料収納容器１５を覆うノブ１６が着脱可能に嵌合される。このノブ１６の天部には開口孔１６Ａが形成され香料の香りが外に発散可能な構造となっている。
【００１４】
次に、香料収納容器１５内の香料を発散させるには、先ず、押部材９より香料収納容器１５を取り出し、折り曲げる。すると、ガラスのカプセル１７が破れて香料がフェルト部材１８に含浸される。この状態で香料収納容器１５を再び押部材９の収納室９Ｄ内に装着する。すると、フェルト部材１８に含浸された香料がノブ１６の開口孔１６Ａより外に発散され、シャープペンシルを使用したり携帯している時に香料の香りを嗅ぐことができる。
【００１５】
また、芯タンク６内に予備の芯８を補充する場合には、押部材９からノブ１６及び香料収納容器１５を外し、押部材９の内鍔９Ｂに形成された貫通孔９Ｃを通って予備の芯８が芯タンク６内に収納される。
【００１６】
尚、香料収納容器１５内の香料がなくなった場合には、付属された香料容器２と滴下具３をケースから取り出し、市販されている好みの香料を購入し、この香料が入ったビンの中にパイプ状の滴下具３を挿入し、滴下具３の上端を指で閉じて滴下具３内に入った香料を香料容器２に移動させる。そして、滴下具３の上端を開けば香料が香料容器２内に滴下される。したがって、香料が香料容器２のフェルト部材２Ｂに含浸される。この香料容器２を、筆記具から香料収納容器１５を外した後に収納室９Ｄに装着する。香料がなくなった場合には、滴下を繰り返すことによって何度でも使用することができる。
【００１７】
また、香料容器２を外せば、押部材９の消しゴム保持部９Ｅに消しゴムを装着することもできる。
【００１８】
更に、本発明に用いられる香料収納容器としては、従来知られている種々のものが利用可能であるが、ガラスのカプセル１７に密閉され、使用するときにカプセル１７を破って香料をフェルト部材１８に含浸させる香料収納容器１５を用いれば、使用前までは香料の消耗が全くなく、また、香料が外に滲み出てくる心配がないとともに、容器が小型でしかも消しゴムと類似した形状となるので、押部材９も複雑な形状にならず、ほぼ同じ空間内に香料収納容器１５、香料容器２あるいは消しゴムのいずれかを収納でき、取り扱いが簡単で構造も複雑にならず非常に好ましい。
【００１９】
また、香料は合成樹脂を侵食したり劣化させる性質を持っているので、押部材９はポリプロピレン、フッ素樹脂、ポリエチレンやポリアセタール等の耐香料性及び耐薬品性の合成樹脂により構成する。
【００２０】
更にまた、押部材９の収納室９Ｄに形成される突部は、断面円形の収納室９Ｄの一部を非円形に構成することも可能である。
【００２１】
尚、上記実施例は、筆記具を振出式のシャープペンシルにおいて説明したが、本発明の筆記具はノック式のシャープペンシルやボールペン等種々の筆記具が利用可能である。
【産業上の利用可能性】
【００２２】
好みの香料を滴下具によって香料容器に滴下することにより、アロマ効果が得られる筆記具に適用できる。
【図面の簡単な説明】
【００２３】
【図１】本発明の実施例１の筆記具用の香料用具キットを示す断面図である。（実施例１）
【図２】本発明の実施例１の香料容器を示す断面図である。（実施例１）
【図３】本発明の実施例１の滴下具を示す断面図である。（実施例１）
【図４】本発明の実施例２の筆記具を示す断面図である。（実施例２）
【符号の説明】
【００２４】
１  ケース
２  香料容器
２Ａ  香料容器２の本体
２Ｂ  香料容器２のフェルト部材
３  滴下具
４  蓋
【図１】
2007007886.tif 000003
【図２】
2007007886.tif 000004
【図３】
2007007886.tif 000005
【図４】
2007007886.tif 000006